(57)【要約】【課題】シュレッダーの細断用カッターにより手の指を負傷するおそれを防止する。【解決手段】装置本体５には該装置本体を上下に貫く被細断物７の案内通路９を備えさせ、人が手の指１１を該案内通路の入口９ａから該案内通路内に挿入したときでも、該指がシュレッダー３内の細断用カッター１３に届かないようにしたことを特徴とするシュレッダー用安全装置。前記装置本体は、人が手の指を該案内通路の入口から該案内通路内に挿入したときでも、該指がシュレッダー内の細断用カッターに届かない高さを有する。前記案内通路は下方に向かって徐々に狭くなる。前記シュレッダー用安全装置を前記案内通路がシュレッダーの被細断物挿入口１５に連通するように取り付けたことを特徴とするシュレッダー。【選択図】図１
2008055284.tif 000002
【特許請求の範囲】
【請求項１】
装置本体には該装置本体を上下に貫く被細断物の案内通路を備えさせ、人が手の指を該案内通路の入口から該案内通路内に挿入したときでも、該指がシュレッダー内の細断用カッターに届かないようにしたことを特徴とするシュレッダー用安全装置。
【請求項２】
前記装置本体は、人が手の指を該案内通路の入口から該案内通路内に挿入したときでも、該指がシュレッダー内の細断用カッターに届かない高さを有することを特徴とする請求項１に記載のシュレッダー用安全装置。
【請求項３】
前記案内通路は下方に向かって徐々に狭くなることを特徴とする請求項１に記載のシュレッダー用安全装置。
【請求項４】
請求項１〜３のいずれかに記載の前記シュレッダー用安全装置を前記案内通路がシュレッダーの被細断物挿入口に連通するように取り付けたことを特徴とするシュレッダー。
【発明の詳細な説明】
【技術分野】
【０００１】
本発明は、シュレッダー用安全装置及び該安全装置を備えたシュレッダーに関するものである。
【背景技術】
【０００２】
シュレッダーは、書類、印刷物等の廃棄物から個人情報、機密情報等が漏洩することを防止するために、廃棄すべき書類、印刷物等（本発明においては、これらのものを「被細断物」という。）を細断するものである。
【０００３】
シュレッダーとしては、被細断物を挿入する被細断物挿入口の近傍に細断用カッターを配設してなるものが広く使用されている。
【０００４】
実開平５−７０６５１号公報もこのようなシュレッダーを開示している。
【特許文献１】実開平５−７０６５１号公報
【発明の開示】
【発明が解決しようとする課題】
【０００５】
近年、シュレッダーは、官庁や会社等の事務所のみならず、一般家庭や住居兼用事務所等においても使用されるようになった。このような一般家庭や住居兼用事務所等においては、シュレッダーが幼児の手の届く場所に配設されていることがある。
【０００６】
最近、このような状況の下で、幼児がシュレッダーの被細断物挿入口に手の指を挿入し、その結果、細断用カッターにより手の指を負傷するという痛ましい事故がしばしば発生している。図３参照。
【０００７】
このような状況に鑑み、本発明は、シュレッダーの細断用カッターにより手の指を負傷するおそれを防止しようとしてなされたものである。
【課題を解決するための手段】
【０００８】
上記課題を解決するために、本発明は、下記のシュレッダー用安全装置及び該安全装置を備えたシュレッダーを提供するものである。
【０００９】
（１）装置本体には該装置本体を上下に貫く被細断物の案内通路を備えさせ、人が手の指を該案内通路の入口から該案内通路内に挿入したときでも、該指がシュレッダー内の細断用カッターに届かないようにしたことを特徴とするシュレッダー用安全装置（請求項１）。
【００１０】
（２）前記装置本体は、人が手の指を該案内通路の入口から該案内通路内に挿入したときでも、該指がシュレッダー内の細断用カッターに届かない高さを有する（請求項２）。
【００１１】
（３）前記案内通路は下方に向かって徐々に狭くなる（請求項３）。
【００１２】
（４）前記シュレッダー用安全装置を前記案内通路がシュレッダーの被細断物挿入口に連通するように取り付けたことを特徴とするシュレッダー（請求項４）。
【発明の効果】
【００１３】
［請求項１の発明］
請求項１のシュレッダー用安全装置をその案内通路がシュレッダーの被細断物挿入口に連通するようにシュレッダーに取り付けたときには、該安全装置は、人が手の指を該案内通路の入口から該案内通路内に挿入したときでも、該指がシュレッダー内の細断用カッターに届かないようにしたため、人が案内通路に手の指を挿入した場合でも、手の指がシュレッダー内の細断用カッターに接触するおそれはない。従って、シュレッダー内の細断用カッターにより手の指を負傷するおそれは解消する。
【００１４】
シュレッダー用安全装置は、構造が簡単であって、安価に提供することができるものであり、しかも既存のシュレッダーに対しても後付けすることができる。従って、既存のシュレッダーについても、このシュレッダー用安全装置を後付けすることにより、小さなコストで安全性を確保することができる。
【００１５】
また、シュレッダー用安全装置をシュレッダーにその製造段階で取り付けることにより、大きな費用を要するシュレッダーの設計変更を行なうことなく、シュレッダーの安全性を確保することができる。
【００１６】
［請求項２の発明］
人が手の指を案内通路の入口から該案内通路内に挿入したときでも、該指がシュレッダー内の細断用カッターに届かないようにするために、前記装置本体は、人が手の指を該案内通路の入口から該案内通路内に挿入したときでも、該指がシュレッダー内の細断用カッターに届かない高さを有する。従って、人が案内通路に手の指を挿入した場合でも、手の指がシュレッダー内の細断用カッターに接触するおそれはない。故に、シュレッダー内の細断用カッターにより手の指を負傷するおそれは解消する。換言すれば、このシュレッダー用安全装置は、案内通路の入口からシュレッダー内の細断用カッターまでの距離を大きくすることにより、安全性を確保するものである。
【００１７】
［請求項３の発明］
前記案内通路は下方に向かって徐々に狭くなるため、手の指が案内通路を通過してシュレッダー内に届くことが防止される。従って、人が案内通路に手の指を挿入した場合でも、手の指がシュレッダー内の細断用カッターに接触するおそれはない。故に、シュレッダー内の細断用カッターにより手の指を負傷するおそれは解消する。
【００１８】
前記案内通路は下方に向かって徐々に狭くなるため、該案内通路には、被細断物を挿入し易い十分な入口幅を備えさせても差し支えない。
【００１９】
［請求項４の発明］
シュレッダー用安全装置を取り付けたシュレッダーである。前述の如く、人が案内通路に手の指を挿入した場合でも、手の指がシュレッダー内の細断用カッターに接触するおそれはない。従って、シュレッダー内の細断用カッターにより手の指を負傷するおそれは解消する。
【発明を実施するための最良の形態】
【００２０】
符号１に示すものはシュレッダー用安全装置であり、符号３に示すものはシュレッダーである。
【００２１】
シュレッダー用安全装置１は、装置本体５には該装置本体５を上下に貫く被細断物７の案内通路９を備えさせ、人が手の指１１を該案内通路９の入口９ａから該案内通路９内に挿入したときでも、該指１１がシュレッダー３内の細断用カッター１３に届かないようにしてなるものである。
【００２２】
装置本体５は、一例として、箱状体とするが、装置本体５はその形状の如何を問うものではない。
【００２３】
人が手の指１１を該案内通路９の入口９ａから該案内通路９内に挿入したときでも、該指１１がシュレッダー３内の細断用カッター１３に届かないようにするために、一例として、装置本体５は、人が手の指１１を案内通路９の入口９ａから該案内通路９内に挿入したときでも、該指１１がシュレッダー３内の細断用カッター１３に届かない高さａを有するものとする。
【００２４】
装置本体５の高さａは、一例として約５０ｍｍとする。
【００２５】
高さａを有する装置本体５をシュレッダー３に取り付けることにより、案内通路９の入口９ａからシュレッダー３内の細断用カッター１３までの距離ｂを大きくするものである。
【００２６】
人が手の指１１を案内通路９の入口９ａから該案内通路９内に挿入したときでも、該指１１がシュレッダー３内の細断用カッター１３に届かないようにするために、手の指１１が案内通路９を通過してシュレッダー３内に届くことを防止するようにしてもよい。即ち、案内通路９を下方に向かって徐々に狭くなるように形成してもよい。
【００２７】
案内通路９の上端における入口９ａの幅は、一例として約１０ｍｍ程度とし、案内通路９の下端における出口９ｂの幅は、一例として約５〜６ｍｍとする。
【００２８】
前記シュレッダー用安全装置１を前記案内通路９がシュレッダー３の被細断物挿入口１５に連通するようにシュレッダー３に取り付ける。
【００２９】
なお、シュレッダー用安全装置１は、被細断物７の流れを外部から視認することができるようにするために、好ましくは全体を透明に形成する。
【図面の簡単な説明】
【００３０】
【図１】本考案によるシュレッダー用安全装置をシュレッダーに取り付けた状態を示す断面図である。
【図２】同上シュレッダー用安全装置を示す斜視図である。
【図３】シュレッダー用安全装置を備えていないシュレッダーを示す断面図である。
【符号の説明】
【００３１】
１  シュレッダー用安全装置
３  シュレッダー
５  装置本体
７  被細断物
９  案内通路
９ａ  入口
９ｂ  出口
１１  指
１３  細断用カッター
１５  被細断物挿入口
【図１】
2008055284.tif 000003
【図２】
2008055284.tif 000004
【図３】
2008055284.tif 000005